(57)【要約】【課題】無線信号が植物に遮られることを防止することができる農業用センサを提供する。【解決手段】農業用センサ１は、測定部２と送信部３と第１の筐体４と第２の筐体５と第１の支持部材６とを備える。測定部２は、植物９の周囲環境を測定する。送信部３は、測定部２の測定結果を取得し、測定結果を無線信号で送信する。第１の筐体４は、送信部３を収納する。第２の筐体５は、測定部２を収納し、第１の筐体４と異なる。第１の支持部材６は、第１の筐体４を支持し、地面から第１の筐体４までの高さを調整可能に構成される。【選択図】図１
2015167525.tif 000002
【特許請求の範囲】
【請求項１】
植物の周囲環境を測定する測定部と、
前記測定部の測定結果を取得し、前記測定結果を無線信号で送信する送信部と、
前記送信部を収納する第１の筐体と、
前記測定部を収納し、前記第１の筐体とは異なる第２の筐体と、
前記第１の筐体を支持し、地面から前記第１の筐体までの高さを調整可能に構成される第１の支持部材とを備える
ことを特徴とする農業用センサ。
【請求項２】
前記第２の筐体を支持し、地面から前記第２の筐体までの高さを調整可能に構成される第２の支持部材を備える
ことを特徴とする請求項１記載の農業用センサ。
【発明の詳細な説明】
【技術分野】
【０００１】
本発明は、一般に農業用センサ、より詳細には植物の周囲環境を測定する農業用センサに関する。
【背景技術】
【０００２】
従来、農業用ハウス内における植物周囲の温度、湿度などの環境を測定する農業用センサがある（例えば、特許文献１参照）。この種の農業用センサは、離れた位置に設置されている親機に測定結果を送信するために無線信号を用いている。
【先行技術文献】
【特許文献】
【０００３】
【特許文献１】特開平９−２５２６６１号公報
【発明の概要】
【発明が解決しようとする課題】
【０００４】
しかし、特許文献１に記載の構成は、温度などを測定するセンサと、センサの測定結果を送信する発信部とが一体に設けられている。そのため、地面付近の環境を測定する場合、無線信号が植物に遮られ親機に届かないおそれがあった。
【０００５】
本発明は、上記事由に鑑みてなされたものであり、その目的は、無線信号が植物に遮られることを防止することができる農業用センサを提供することにある。
【課題を解決するための手段】
【０００６】
本発明の農業用センサは、植物の周囲環境を測定する測定部と、前記測定部の測定結果を取得し、前記測定結果を無線信号で送信する送信部と、前記送信部を収納する第１の筐体と、前記測定部を収納し、前記第１の筐体とは異なる第２の筐体と、前記第１の筐体を支持し、地面から前記第１の筐体までの高さを調整可能に構成される第１の支持部材とを備えることを特徴とする。
【０００７】
この農業用センサにおいて、前記第２の筐体を支持し、地面から前記第２の筐体までの高さを調整可能に構成される第２の支持部材を備えることが好ましい。
【発明の効果】
【０００８】
以上説明したように、本発明では、第１の筐体を支持する第１の支持部材が、地面から第１の筐体までの高さを調整可能に構成されるので、送信部を植物よりも高い位置に配置することができる。これにより、無線信号が植物に遮られることを防止することができるという効果がある。
【図面の簡単な説明】
【０００９】
【図１】実施形態における農業用センサの概略構成図である。
【図２】実施形態における農業用センサの別構成の概略構成図である。
【図３】実施形態における農業用センサの設置例を示す概略図である。
【発明を実施するための形態】
【００１０】
以下、本発明の実施の形態を図面に基づいて説明する。
【００１１】
（実施形態）
図１に示すように、本実施形態の農業用センサ１は、農業用ハウス内に設けられ、植物９の周囲環境を測定して測定結果を無線信号で送信するセンサである。本実施形態の農業用センサ１は、測定部２と送信部３と第１の筐体４と第２の筐体５と第１の支持部材６とを備える。測定部２は、植物９の周囲環境を測定する。送信部３は、測定部２の測定結果を取得し、測定結果を無線信号で送信する。第１の筐体４は、送信部３を収納する。第２の筐体５は、測定部２を収納し、第１の筐体４と異なる。第１の支持部材６は、第１の筐体４を支持し、地面から第１の筐体４までの高さを調整可能に構成される。さらに、農業用センサ１は、第２の支持部材７を備える。第２の支持部材７は、第２の筐体５を支持し、地面から第２の筐体５までの高さを調整可能に構成される。
【００１２】
以下に、本実施形態の農業用センサ１の構成について詳細に説明する。
【００１３】
測定部２は、温度を測定する温度検出素子と湿度を測定する湿度検出素子とを一体に備えており、第２の筐体５に収納されている。第２の筐体５は、測定部２を収納しており、測定部２が外気と接触可能なように開口（図示なし）が形成されている。
【００１４】
測定部２と送信部３とは、ケーブル１０で接続されており、測定部２（温度検出素子、湿度検出素子）の測定結果は、電気信号に変換されケーブル１０を介して送信部３に出力される。
【００１５】
送信部３は、電波を伝送媒体に用いた無線信号を送信する通信インターフェースで構成されており、無線信号の送信に用いるアンテナ３１と一体に第１の筐体４に収納されている。また、第１の筐体４には、送信部３と測定部２とに電源供給する電池３２も収納されている。なお、電池３２から測定部２への電源供給は、ケーブル１０を介して行われる。
【００１６】
そして、送信部３から送信された無線信号は親機８が受信する。親機８は、農業用ハウス内に設けられた制御盤で構成されており、無線信号を受信する受信部８１と、測定結果を表示する表示部８２とを備える。さらに、親機８は、農業用センサ１の測定結果に基づいて、カーテンの開閉、ファンの制御、散水（潅水、噴霧）の制御などを行う制御部８３を備えている。
【００１７】
ここで、農業用ハウス内における植物９（農作物）の栽培において環境管理、特に植物９の周囲における環境（温度、湿度）の管理が重要となる。本実施形態では、栽培する植物９（農作物）としてほうれん草を想定しており、地面からの高さが１０ｃｍ程度の場所の温度、湿度を測定できるように測定部２の高さＬ１を設定している。具体的には、棒状部材で形成され、一部が地面に埋まるように設けられた第２の支持部材７で第２の筐体５を支持している。第２の支持部材７は、第２の筐体５を支持する高さが調整可能に構成されており、植物９の近傍に設けられている。
【００１８】
また、測定部２に水がかかると測定結果に誤差が生じるため、保護部材５０で第２の筐体５を囲っている。保護部材５０は、内部空間の断面がＴ字状に形成されたカバーであり、第２の筐体５を内部に保持している。また、保護部材５０の側面の一部に開口部５１が形成されており、この開口部５１を介して空気が保護部材５０内に流入する。そして、保護部材５０は、測定部２の地面からの高さＬ１が植物９に合わせた高さとなるよう第２の支持部材７に取り付けられる。また、第２の支持部材７は、保護部材５０を取り付け可能な高さ位置が調整可能に構成されている。すなわち、第２の支持部材７は、地面から第２の筐体５までの高さＬ１を調整可能に構成されている。これにより、植物９の種類に応じて測定部２の高さＬ１を設定することができ、測定部２は、植物９の周囲環境をより正確に測定することができる。
【００１９】
また、送信部３を収納する第１の筐体４は、第１の支持部材６によって支持されている。第１の支持部材６は、棒状部材で形成されており、一部が地面に埋まるよう設けられている。第１の筐体４は、下面の一部に有底の穴４０が設けられており、この穴４０に第１の支持部材６の上端部が嵌め込まれることで、第１の支持部材６に支持される。
【００２０】
また、第１の支持部材６は、軸部６１と筒部６２と分割されており、軸部６１と筒部６２との結合位置を調節することで第１の支持部材６の長さが調節可能に構成されている。軸部６１は、一端が地面に埋め込まれており、他端（上端）が筒部６２に嵌め込まれる。また、軸部６１および筒部６２の側面には軸方向（上下方向）と直交する方向に貫通する貫通孔（図示なし）が形成されている。そして、軸部６１と筒部６２とに形成された各貫通孔にピン６３が通されることで軸部６１と筒部６２とが結合される。また、軸部６１には、貫通孔が軸方向に複数設けられており、ピン６３を通す貫通孔を変更することによって、軸部６１と筒部６２との結合位置を調整することができ、第１の支持部材６の長さを調整することができる。これにより、地面から第１の筐体４までの高さが調整可能に構成される。なお、第１の筐体４の高さを調整する構成は上記に限定されることはなく、例えば第１の支持部材６に対して第１の筐体４が取り付けられる高さが調整可能なように構成されていてもよい。
【００２１】
このように、本実施形態の農業用センサ１は、測定部２と送信部３とが別々の筐体（第１の筐体４，第２の筐体５）とに収納されており、互いに異なる高さに配置することができる。そして、本実施形態では、測定部２を植物９に合わせた高さＬ１に配置し、送信部３を植物９の高さＬ２よりも高い位置となるように配置している。これにより、植物９の周囲における環境（温度、湿度）を測定することができ、さらに、送信部３から送信される無線信号が植物９に遮られることなく親機８に伝達させることができる。
【００２２】
また、農業用センサ１の変形例として、図２に示すように、第１の支持部材６と第２の支持部材７とを一体に構成し、軸部６１に保護部材５０（測定部２）を取り付けた構成であってもよい。この変形例においても、保護部材５０の取付位置の高さが調整可能に構成され、植物９の高さに合わせた高さに測定部２を配置することができる。
【００２３】
また、一般的に農業用ハウスの本体１１の脇には、潅水用のチューブ１２が配置されており、このチューブ１２に設けられた複数の孔から水が吐出される（図３参照）。図３における点線矢印は、チューブ１２から吐出される水の放物線を示しており、２点鎖線は各放物線の頂点を結ぶ線を示している。本実施形態では、第１の筐体４が潅水を妨げないよう、第１の筐体４を水の放物線、すなわち図３の２点鎖線よりも高い位置となるように配置している。このように第１の筐体４を配置することによって、第１の筐体４が植物９への潅水を妨げることを防止することができる。
【００２４】
なお、本実施形態では、植物９の周囲環境として温度、湿度を測定しているがいずれか一方を測定する構成でもよいし、温度、湿度以外の例えば炭酸ガス濃度、日射量などを測定する構成でもよい。
【００２５】
上述した実施形態は本発明の一例である。このため、本発明は、上述の実施形態に限定されることはなく、この実施形態以外であっても、本発明に係る技術的思想を逸脱しない範囲であれば、設計等に応じて種々の変更が可能であることはもちろんのことである。
【符号の説明】
【００２６】
１  農業用センサ
２  測定部
３  送信部
４  第１の筐体
５  第２の筐体
６  第１の支持部材
７  第２の支持部材
８  親機
９  植物
【図１】
2015167525.tif 000003
【図２】
2015167525.tif 000004
【図３】
2015167525.tif 000005